(57)【要約】【課題】本発明の目的は、別途樹脂部材を設けなくとも床の損傷を防止し、作業工程を少なくして安価に製造できる前足を備えた冷蔵庫を得る。【解決手段】断熱箱体の底面に設けたローラー１６と、このローラー１６の回転軸１８が突出する両側面を覆うように下方に延在した取付板１１と、この取付板１１に設けられ、回転軸１８が上下方向に摺動する長穴１３と、取付板１１の上方から下方に向けて螺嵌させた固定具１５とを設け、この固定具１５を所定位置Ｘより上方に移動させた場合、回転軸１８は長穴１３の上端部で軸支されてローラー１６を回転自在にさせるとともに、固定具１５を所定位置Ｘより下方に移動させた場合、固定具１５の下端部１５ａがローラー１６を押圧してローラー１６の回転を阻止し、固定具１５の移動幅に応じて本体の高さを調整する。【選択図】  図１
2004286402.tif 000002
【特許請求の範囲】
【請求項１】
断熱箱体と、断熱箱体の底面に固着した取付板と、この取付板の上面両側から下方に垂下した延在部に穿設した上下方向に長い長穴と、この長穴に上下自在に軸支さて前記延在部間に配置したローラーと、前記取付板の上面に螺嵌されローラーの頂部に指向する固定具とからなり、この固定具を所定位置より上方に移動させた場合、回転軸は長穴の上端部で軸支されてローラーを回転自在にさせるとともに、前記固定具を所定位置より下方に移動させた場合、固定具の下端部がローラーを押圧してローラーの回転を阻止し、固定具の移動幅に応じて本体の高さを調整することを特徴とする冷蔵庫。
【発明の詳細な説明】
【０００１】
【発明の属する技術分野】
本発明は、本体の高さを調節する前足を備えた冷蔵庫に関する。
【０００２】
【従来の技術】
従来より、冷蔵庫本体は、その底面の前後左右の四角に配された４本の足で支える構造になっており、各足には、冷蔵庫を移動可能に支持するためにローラーが設けられている。また、前方に配された前足には、冷蔵庫本体の高さを調節するための調整足が設けられており、この調整足によって、冷蔵庫を据付け位置に固定するとともに、その位置に凹凸がある場合にはその凹凸を吸収して冷蔵庫を水平状態に保持するようになっている。
【０００３】
例えば、図５，図６，図７に示すように、冷蔵庫本体１００底面の前方角部に、左右一対の前足１０１を設けている。この前足１０１は、取付板１０２を本体底面部に螺着し、この取付板１０２には、回転自在に軸支したローラー１０３と、その前端部に調節足１０４を設けて構成されている。この調節足１０４は、鉄製のボルトなどねじ切りされたねじ部１０４ａの下端部を、円柱状の樹脂部材１０４ｂをモールド成形して構成されている。一方、冷蔵庫本体１００底面の後方角部には、ローラー１０６を軸支した左右一対の後足１０５を設けている。
【０００４】
この冷蔵庫１００の据付け時においては、図７に示すように、調節足１０４を上げた状態でローラー１０３，１０６により据付け位置まで移動させ、図８に示すように据付け位置で、調節足１０４を下ろして前足１０１のローラー１０３を浮かせて冷蔵庫１００を固定させる。その際、据付け位置の床などに凹凸がある場合には、冷蔵庫１００が水平に保持されるように、調節足１０４を調節して冷蔵庫１００の高さを調節している（例えば、特許文献１）。
【０００５】
【特許文献１】
特開平８−２１０７６３号公報（段落［００３９］〜［００４１］、図５、図６、図７）
【０００６】
【発明が解決しようとする課題】
このような従来の構成では、冷蔵庫１００を据付けると調節足１０４と床が当接しているため、この調節足１０４によって床に擦り傷などが生じないように、その接触面には樹脂部材１０４ｂなどを設けて床の損傷を保護することが必要であるとともに、調節足１０４にかかる負荷は大きいく樹脂の強度だけでは保持できないため、鉄製のねじ部１０４ａで固定することが必要となる。
しかしながら、かかる調節足１０４を形成するためには、鉄部材１０４ａと樹脂部材１０４ｂの両方の材質が必要となるため、コストアップになるとともに、インモールド成形など、調節足１０４を形成するためだけの作業工程が必要となるため、作業効率が悪いものであった。
そこで、本発明は上記問題点を考慮してなしたものであり、その目的は、別途樹脂部材を設けなくとも床の損傷を防止し、作業工程を少なくして安価に製造できる前足を備えた冷蔵庫を提供することにある。
【０００７】
【課題を解決するための手段】
本発明は、断熱箱体の底面下部に設けたローラーと、このローラーの回転軸が突出する両側面を覆うように下方に延在した取付板と、この取付板に設けられ前記ローラーの回転軸が上下方向に摺動する長穴と、前記取付板の上方から下方に向けて螺嵌させた固定具とを設け、この固定具を所定位置より上方に移動させた場合、回転軸は長穴の上端部で軸支されてローラーを回転自在にさせるとともに、前記固定具を所定位置より下方に移動させた場合、固定具の下端部がローラーを押圧してローラーの回転を阻止し、固定具の移動幅に応じて本体の高さを調整することを特徴とするものである。
【０００８】
【発明の実施の形態】
以下、図面に基づいて本発明の一実施形態について、図１および図３を参照して説明する。なお、従来と同一構成のものについては同符号を付し、その説明を省略する。
図１は、冷蔵庫１が据付けられた状態において、主に前足を示す冷蔵庫前方の縦断面図であり、図３は、図１のＡ−Ａ線に沿う断面図である。図１に示すように、冷蔵庫本体１は、鋼板製の外箱２、内箱４、断熱材３から構成された断熱箱体内に、図示しない貯蔵室を設けており、この貯蔵室の前面には開口部を開閉自在に閉塞する扉６を設けている。冷蔵庫１の底面には、図示しない圧縮機などを載置して、冷蔵庫１の底面部を構成しアングルなどを施した底板５を設けており、この底板５の後方角部には、図５に示す従来と同様にローラー１０６を軸支した左右一対の後足１０５を設けている。
【０００９】
一方、底板５の前方には前板カバー７を設けており、冷蔵庫１の高さを調節する際などには、自由に取外すことができるようになっている。また、底板５前方の下面には、左右一対の前足１０を設けており、この前足１０を螺着するためのねじ穴５ａをそれぞれ２箇所設けている。
この前足１０は、主に取付板１１、固定具１５、ローラー１６より構成されている。
取付板１１の後部には、ねじ穴が穿設された取付面１１ａを形成しており、この取付面１１ａは底板５の下面と当接して、ボルトねじ８により底板５に螺着されている。
【００１０】
この取付面１１ａより一段下がった取付板１１の前部には、固定具１５を螺嵌する穴部１４が穿設されたフランジ部１１ｂを形成しており、図３に示すように、このフランジ部１１ｂの両側辺には、ローラー１６を挟むように下方に延在させた延在部１２を設けている。この延在部１２には、ローラー１６を軸支する長穴１３を設けており、この長穴１３に沿ってローラー１６の回転軸１８が上下方向に摺動するようになっている。
【００１１】
ローラー１６は樹脂などより成形されており、この円心部には、透孔１７を形成している。この透孔１７には、回転軸１８が挿通されており、ローラー１６が回転自在になっている。上記したように回転軸１８は、長穴１３に挿通されており、回転軸１８が長穴１３から外れないように、回転軸１８の両端には、長穴１３の幅寸法よりも大きいストッパー１８ａを形成している。
固定具１５は、例えば、鉄製のボルトねじによりなり、静止状態では穴部１４に螺嵌されて固定されているとともに、回転させると上下に移動できるようになっている。
【００１２】
図１に示すように、固定具１５を後述する所定位置Ｘよりも下方に移動させた状態では、冷蔵庫１の重量が固定具１５の下端面１５ａにかかり、この下端面１５ａがローラー１６の上周面を押圧することにより、ローラー１６の回転が阻止されている。
このとき、固定具１５をさらに下方に移動させると、固定具１５はローラー１６を押圧した状態で下方に移動するため、冷蔵庫１が長穴１３に沿って上方に移動することになる。すなわち、長穴１３の高さ寸法の範囲内において、固定具１５の上下移動により、冷蔵庫１の高さを調節することができるようになっている。
【００１３】
一方、冷蔵庫１を移動させる場合においては、図２に示すように固定具１５を所定位置Ｘよりも上方に移動させる。
固定具１５が下方の位置で停止している場合には、ローラー１８の円周面が押圧されて、その回転が阻止されていたが、固定具１５を除々に上方に移動させると、長穴１３の上端部が回転軸１８と当接するようになり、この場合、冷蔵庫１の重量は長穴１３を介して回転軸１８にかかるようになるため、ローラー１８の回転が自由になる。このように、所定位置Ｘは、長穴１３の上端部と回転軸１８が当接する位置とし、これより固定具１５を上方に移動させた場合には、ローラー１８を自由に回転させることができるようになっている。
【００１４】
上述した構成によれば、固定具１５の調節によりローラー１６を介して冷蔵庫１の高さを調節することができるため、別途、樹脂部材を設けた調節足を設ける必要がなく、もって樹脂部材を廃止することができる。
これにより、樹脂部材にかかるコストを削減することができるとともに、インモールド成形など、調節足を形成するためだけの作業工程が必要となくなるため、作業効率を高くすることができる。
また、床１１０と接触する部材は、樹脂などより成形されたローラー１６であるため、樹脂部材を廃止しても床１１０に擦り傷が生ずるなどの不具合はない。
【００１５】
さらに、据付けた状態においては、固定具１５にかかる冷蔵庫の重量によりローラーを押圧しているため、不用意に回転することなく確実に冷蔵庫１を設置場所に固定することができる。
【００１６】
以上、本発明の一実施形態について説明をしたが、本発明の要旨を逸脱しない限り、種々の変更が可能である。
例えば、図４に示すように、固定具１５により押圧されるローラー１６円周面の中央部に、固定具１５の幅寸法よりも若干広い溝１６ａを形成してもよい。
これはローラー１６に採用する材質によっては、固定具１５の押圧によりローラー１６の表面が変形してしまうことが考えられ、この場合、冷蔵庫１を移動させると、床１１０に擦り傷を付けたり、ローラー１６の回転が円滑にできない等の不具合が生じることになる。
しかし、ローラー１６の内部である溝１６ａに固定具１５を押圧させることにより、ローラー１６が変形したとしても、ローラー１６の円周面は変形しないため、床１１０に擦り傷を付ける等の不具合を解消することができる。
【００１７】
【発明の効果】
本発明は、別途樹脂部材を設けなくとも床の損傷を防止し、作業工程を少なくして安価に製造できる前足を備えた冷蔵庫を提供することができる。
【図面の簡単な説明】
【図１】本発明の実施形態を示す冷蔵庫の前方断面図である。
【図２】図１の冷蔵庫を移動させるとき状態を示す縦断面図である。
【図３】図１の冷蔵庫のＡ−Ａ線に沿う横断面図である。
【図４】本発明の他の実施形態を示すローラーの斜視図である。
【図５】従来の冷蔵庫を示す横面図（ａ）と正面図（ｂ）である
【図６】図５の冷蔵庫の前方を示す縦断面図である。
【図７】図５の冷蔵庫を移動させるときの状態を示す縦断面図である。
【符号の説明】
１…冷蔵庫                ５…底板                  １０…前足
１１…取付板              １２…延在部              １３…長穴
１４…穴部                １５…固定具              １６…ローラー
１８…回転軸              １１０…床
【図１】
2004286402.tif 000003
【図２】
2004286402.tif 000004
【図３】
2004286402.tif 000005
【図４】
2004286402.tif 000006
【図５】
2004286402.tif 000007
【図６】
2004286402.tif 000008
【図７】
2004286402.tif 000009